(57)【要約】【課題】自動販売機から取り外した各構成部品の余寿命情報を把握できる自動販売機及び自動販売機の管理システムを提供すること。【解決手段】余寿命情報を記憶したＩＣタグ４０を貼付した各構成部品２１，２２，２３，２４，２５と、構成部品２１，２２，２３，２４，２５ごとに稼働情報を取得して余寿命を算出する制御部１０とを備えた自動販売機１と、制御部１０が算出した余寿命を取得して余寿命情報を更新する一方、ＩＣタグ４０から余寿命情報を取得して表示するメンテナンスツール３０とにより自動販売機の管理システムを構築した。【選択図】        図１
2005173815.tif 000002
【特許請求の範囲】
【請求項１】
余寿命情報を記憶した記憶手段を備えた各構成部品と、
構成部品ごとに稼働情報を取得して余寿命を算出する制御部と、
前記余寿命情報を算出した余寿命に更新するリーダライタと
を備えたことを特徴とする自動販売機。
【請求項２】
余寿命情報を記憶した記憶手段を備えた各構成部品と、前記構成部品ごとに稼働情報を取得して余寿命を算出する制御部と、前記余寿命情報を算出した余寿命に更新するリーダライタとを備えた自動販売機と、
前記記憶手段から余寿命情報を取得して表示するメンテナンスツールと
を備えたことを特徴とする自動販売機の管理システム。
【請求項３】
余寿命情報を記憶した記憶手段を備えた各構成部品と、構成部品ごとに稼働情報を取得して余寿命を算出する制御部とを備えた自動販売機と、
前記制御部が算出した余寿命を取得して前記余寿命情報を更新する一方、前記記憶手段から余寿命情報を取得して表示するメンテナンスツールと
を備えたことを特徴とする自動販売機の管理システム。
【発明の詳細な説明】
【技術分野】
【０００１】
本発明は、自動販売機及び自動販売機の管理システムに関し、特に構成部品のリユースを促進する自動販売機及び自動販売機の管理システムに関するものである。
【背景技術】
【０００２】
従来、自動販売機を構成する構成部品の再使用（リユース）を目的とする自動販売機のリユースシステムが提案されている。この自動販売機のリユースシステムは各構成部品の使用条件を考慮して各構成部品の余寿命を算出するものであり、余寿命情報は自動販売機又は管理サーバに記憶されている。この自動販売機のリユースシステムによれば、寿命が尽きていない構成部品を安心して再使用できるので、資源の有効活用に資することができる（例えば、特許文献１参照）。
【０００３】
【特許文献１】特開２００３−２１７００９号公報
【発明の開示】
【発明が解決しようとする課題】
【０００４】
しかしながら、従来の自動販売機のリユースシステムでは、各構成部品の余寿命情報が自動販売機、又は自動販売機を管理する管理サーバに記憶してあるので、自動販売機から取り外した構成部品の余寿命情報の把握は困難であった。
【０００５】
本発明は、上記実情に鑑みて、自動販売機から取り外した各構成部品の余寿命情報を把握できる自動販売機及び自動販売機の管理システムを提供することを目的とする。
【課題を解決するための手段】
【０００６】
上記の目的を達成するために、本発明の請求項１に係る自動販売機は、余寿命情報を記憶した記憶手段を備えた各構成部品と、構成部品ごとに稼働情報を取得して余寿命を算出する制御部と、前記余寿命情報を算出した余寿命に更新するリーダライタとを備えたことを特徴とする。
【０００７】
また、本発明の請求項２に係る自動販売機の管理システムは、余寿命情報を記憶した記憶手段を備えた各構成部品と、構成部品ごとに稼働情報を取得して余寿命を算出する制御部と、前記余寿命情報を算出した余寿命に更新するリーダライタとを備えた自動販売機と、前記記憶手段から余寿命情報を取得して表示するメンテナンスツールとを備えたことを特徴とする。
【０００８】
また、本発明の請求項３に係る自動販売機の管理システムは、余寿命情報を記憶した記憶手段を備えた各構成部品と、構成部品ごとに稼働情報を取得して余寿命を算出する制御部とを備えた自動販売機と、前記制御部が算出した余寿命を取得して前記余寿命情報を更新する一方、前記記憶手段から余寿命情報を取得して表示するメンテナンスツールとを備えたことを特徴とする。
【発明の効果】
【０００９】
本発明に係る自動販売機及び自動販売機の管理システムは、各構成部品の記憶手段に余寿命情報が記憶してあるので、自動販売機から取り外した構成部品であっても余寿命情報を取得して、再使用（リユース）できるという効果を奏する。
【００１０】
また、自動販売機の管理システムは、各構成部品の記憶手段から余寿命情報から取得して表示するメンテナンスツールを有するので、センター等の管理サーバに問い合わせすることなく、撤去した自動販売機の解体場所において、各構成部品の余寿命情報を取得できるという効果を奏する。
【発明を実施するための最良の形態】
【００１１】
以下に添付図面を参照して、本発明に係る自動販売機及び自動販売機管理システムの好適な実施例を詳細に説明する。なお、この実施例によりこの発明が限定されるものではない。
【実施例１】
【００１２】
本発明の実施例１に係る自動販売機の管理システムについて説明する。なお、図１は、本発明の実施例１に係る自動販売機の管理システムの構成を示すブロック図、図２は自動販売機の構成部品に貼付したＩＣタグの模式図、図３はＩＣタグの構造を説明するブロック図、図４は制御部のメモリに格納したデータテーブルの構成の一例を示す図、図５は構成部品の余寿命の算出方法を示すフローチャート、図６はメンテナンスツールの表示部を示す図である。
【００１３】
まず、自動販売機の管理システムの構成について説明する。自動販売機の管理システムは、自動販売機１と、メンテナンスツール３０とにより構築してある。自動販売機１は、図１に示すように、制御部１０と、自動販売機を構成するモータ２１、ソレノイド２２、スイッチ類２３、蛍光灯２４、プラスチック類２５とを有し、メンテナンスツール３０はＰＤＡ（Personal Digital (Data) Assistants）等の携帯端末により構成してある。
【００１４】
自動販売機１を構成するモータ２１、ソレノイド２２、スイッチ類２３、蛍光灯２４、プラスチック類２５等の各構成部品には、それぞれ図２に示すようなＩＣタグ４０が貼付してある。ＩＣタグ４０は、アンテナ４１とＩＣチップ４２とを有し、ＩＣチップ４２には、図３に示すように、制御部４３とデータ記憶部４４とが内蔵してある。データ記憶部４４には構成部品の固有情報と、構成部品の余寿命情報とが記憶してある。固有情報は、例えば、型式、シリアルナンバー等であり、構成部品を特定するのに必要十分な情報である。構成部品の余寿命情報は、メンテナンスツール３０と交信することにより、更新可能である。なお、自動販売機１の工場出荷時には、各構成部品に貼附したＩＣタグ４０には固有情報と、余寿命情報として後述する理論寿命が記憶してある。
【００１５】
自動販売機１の制御部１０は自動販売機１の制御を司るものであり、図１に示すように、ＣＰＵ（Central Processing Unit）１１と、メモリ１２と、通信部１３と、時計１４と、電源１５と、出力／入力部１６とを有している。これらＣＰＵ１１、メモリ１２、通信部１３、時計１４および出力／入力部１６は、バスライン１７を介して接続してある。
【００１６】
メモリ１２は、各構成部品を制御する制御プログラム、販売動作に必要な商品価格の情報、売上金額などのほかに、各構成物品の稼働情報を取得して格納するデータテーブルが記憶してある。
【００１７】
データテーブルは、図４に例示するように、自動販売機１を識別するための「自動販売機番号」や「設置場所」、「最終更新日時」などの構成部品全体に共通する情報を格納する項目のほかに、各構成部品について「品名」、「型式」、「シリアルナンバー（Serial No）」、「理論寿命」、「余寿命」、「使用開始年月」、「修理年月」、「温度」や「使用時間」等の「使用条件」を格納する項目を有している。
【００１８】
「自動販売機番号」は、自動販売機を一意的に定めるための番号である。「設置場所」は、自動販売機が設置される環境条件を示すものであり、図４の場合では、例えば、室内設置をＡ、室外設置をＢ、海岸または温泉地での設置をＣ、倉庫での設置をＤと４種類の分類にしたとき、自動販売機１を室外設置（Ｂ）していることを示している。また、このように、図４では、「設置場所」は、室内設置、室外設置、海岸・温泉地、倉庫の４種類に大きく分類しているが、これ以外の方法で分類することも可能である。例えば、郵便番号を基準とした分類方法や、ＧＰＳ（Global Positioning System）用のアンテナを自動販売機１に設置して、ＧＰＳ用衛星局を通じて、自動販売機１が設置されている場所による分類を行う方法も可能である。「最終更新日時」は、データテーブルを最後に更新した日時を示している。
【００１９】
「品名」は、制御部１０が管理対象としている構成部品の名称であり、「型式」は制御部１０が管理対象としている構成部品の型式である。「シリアルナンバー」は構成部品の製造番号であり、「型式」と「シリアルナンバー」とによって構成部品の特定が可能である。
【００２０】
「理論寿命」は、構成部品の通常予想される寿命である。なお、それぞれの部品の寿命を判断する基準は、それぞれの部品によって異なる。例えば、モータ２１は軸受部の磨耗が、ソレノイド２２はプランジャと本体の磨耗が、スイッチ類２３は接点の磨耗が、蛍光灯２４は光源の照度の低下が、そしてプラスチック類２５は紫外線による変色の程度が、それぞれ寿命の判断基準となる。したがって、これら各構成部品の判断基準を参考にして各構成部品を試験することにより、理論寿命が求められる。また、以上の部品の理論寿命は、部品を製造するメーカによって相異し、また、同じ構成部品であってもその構成部品が使用される周囲の温度などの環境条件（使用条件）によっても異なるので、これらの条件をも考慮したより細かな構成部品の理論寿命の分類および寿命の計算を行うことが望ましい。
【００２１】
「余寿命」は、「理論寿命」から後述する使用時間または使用回数を差し引いて算出した値である。「使用開始年月」は、構成部品の使用を開始した年月（日）であり、新たに設置された場合は、その設置年月（日）が、構成部品の取換えを行ったときはその交換日が該当する。「修理年月」は、構成部品が修理された年月（日）である。
【００２２】
「使用条件」の「温度」は構成部品が使用される環境での温度条件であり、余寿命を算出するに当たり考慮される。また、「使用条件」の「使用時間または使用回数」は、構成部品が実際に稼働した時間または回数である。「要交換」は、「余寿命」が０以下の値または所定の正の値以下の値となったときにチェックされる項目である。この項目にチェックが入っている場合には、該部品が交換時期に来ていることまたは交換時期が近いことを示している。
【００２３】
つぎに、図５のフローチャートを用いて、断続的に動作する構成部品の余寿命の算出方法について説明する。ここで、断続的に動作する構成部品とは、例えば、自動販売機１で商品の販売が行われるときに、モータ２１の回転が開始される場合の構成部品やスイッチ類２３が作動する場合の構成部品をいう。
【００２４】
まず、自動販売機１を構成する各構成部品の負荷、すなわち消費者に対して該自動販売機１の提供する商品を１個販売するときに各部品が動作する時間または回数を求め、それをメモリ１２内のデータテーブルの「負荷」項目に設定する（ステップＳ１）。同時に、構成部品が使用される使用条件（温度）などの値も設定される。ここで、各構成部品の負荷は、その自動販売機１に特有な値なので、自動販売機１の出荷時に予め設定される。
【００２５】
また、自動販売機１が設置される場所等の条件から、１日当たりの動作回数、すなわち商品販売回数をメモリ１２内に設定する（ステップＳ２）。この商品販売回数は、設置しようとする自動販売機１と類似の設置環境（例えば、人通りの多い所か、少ない所か等）にある場所での過去の販売データとして集計された値が利用される。
【００２６】
ある場所に設置された自動販売機１のＣＰＵ１１は、例えば１日ごと、１週間ごとまたは１ヶ月ごとなど所定期間ごとに、各部品の使用時間または使用回数を算出し（ステップＳ３）、この算出した使用時間を理論寿命から差し引くことによって、余寿命を算出する（ステップＳ４）。そして、メモリ１２内のデータテーブルの該当する構成部品に対して、算出された使用時間または使用回数および余寿命を書き換えて格納する（ステップＳ５）。このようにして、所定期間ごとの余寿命の算出処理が終了する。なお、余寿命が０以下の値または所定の正の値以下の値となったときには、交換を知らせるために、図４の「要交換」項目にチェックを入れることも可能である。
【００２７】
さらに、断続的に動作する構成部品の余寿命の算出方法について、図４に示す自動販売機１内のメモリ１２に格納されたデータテーブルの中のモータＡを例に挙げて、詳細に説明する。ここで、モータＡは１個の商品を販売するごとに１０秒間動作すること、該自動販売機１の１日あたりの商品の販売回数が３０回であること、自動販売機１が１９９７年２月１日（現在から４年前）に設置されたものであること、そして自動販売機１は毎日正午に余寿命を更新することを前提条件とする。
【００２８】
自動販売機１が設置されてから４年後の２００１年２月１日の正午における自動販売機１内のメモリ１２のデータテーブルには、以下のように自動的に計算されたモータＡの使用時間と余寿命が格納される。
【００２９】
まず、前提条件によって、モータＡは１日に３０回動作し、１回ごとに１０秒間動作するので、ＣＰＵ１１によって、１日当たりの使用時間は３００秒／日、１年あたりでは１０９，５００秒／年と計算される。これを１９９７年２月１日〜２００１年２月１日までの間の４年間の使用時間に直すと、
１０９，５００秒／年×４年＝４３８，０００秒≒１２０時間
となる。ここで、モータＡの理論寿命は１，０００時間であるので、その余寿命は、理論寿命から使用時間を差し引いて、
１，０００時間−１２０時間＝８８０時間
となる。したがって、２００１年２月１日の正午時点でのメモリ１２のデータテーブルに格納されているモータＡの６０℃で使用した場合における使用時間および余寿命は、図４のデータテーブルに示されるように、それぞれ１２０時間および８８０時間となる。
【００３０】
なお、上記の例では、寿命が時間で表されるものについて説明したが、スイッチ類２３などのように、寿命が時間ではなく回数で表されるものについても同様にして求めることができる。
【００３１】
一方、蛍光灯２４やプラスチック類２５などのように、自動販売機１が設置されたときから継続して使用時間の計数が行われる構成部品については、ＣＰＵ１１が時計１４を用いて継続的に、それらの余寿命を算出する。すなわち、蛍光灯２４の理論寿命が例えば２年であるとすると、ＣＰＵ１１は利用開始年月から２年間計測を行い、２年経った時点で、データテーブルに寿命である旨のメッセージを格納する。この間、所定期間ごとに理論寿命から測定された使用時間を減算して得られた余寿命を、データテーブルに上書きして格納する。
【００３２】
通信部１３は、赤外線（ＩRＤＡ（Infra Red Data Association））インターフェース、あるいはＵＳＢ（Universal Serial Bus）インターフェース等の通信インターフェースであり、メンテナンスツール３０と通信可能である。
【００３３】
メンテナンスツール３０はＣＰＵ３１、メモリ３２、通信部３３、表示部３４、入力部３５を有している。ＣＰＵ３１はメンテナンスツール３０の全体を制御するものであり、メモリ３２にはメンテナンスツール３０を制御する制御プログラムが格納してある。通信部３３は自動販売機１の通信部１３及びＩＣタグ４０と通信するものであり、表示部３４は構成部品の固有情報と余寿命情報とを表示する。これらＣＰＵ３１、メモリ３２、通信部３３、表示部３４および入力部３５は、バスライン３６を介して接続してある。
【００３４】
入力部３５は「読込」「書込」を選択入力するものであり、ＩＣタグ４０にメンテナンスツール３０を近づけて「読込」を選択入力すると、ＩＣタグ４０から固有情報と余寿命情報とを読み込むことができ、ＩＣタグ４０にメンテナンスツール３０を近づけて「書込」を選択入力すると、メンテナンスツール３０から余寿命情報を書き込むことができる。
【００３５】
このメンテナンスツール３０の使用方法について説明する。サービスマンは通常の点検業務の終了後、メンテナンスツール３０を自動販売機１の制御部１０に設けた通信部１３に近づけて、入力部３５から「読込」を選択指示することにより、データテーブルをメンテナンスツール３０に読み込む。
【００３６】
メンテナンスツール３０は、図６に示すように、読み込んだデータテーブルから構成部品の固有情報と余寿命情報を抽出して、表示部３４に表示する。なお、図６に示した表示例は、蛍光灯の余寿命を表示したものである。
【００３７】
サービスマンはメンテナンスツール３０の表示部３４に表示した余寿命を確認する。十分な余寿命を確認すると、表示してある固有情報に適合した構成部品に貼付してあるＩＣタグ４０にメンテナンスツール３０を近づけて、入力部３５から「書込」を選択指示する。この「書込」指示により、適合する構成部品に貼付してあるＩＣタグ４０のデータ記憶部４４に余寿命情報が上書きされ、余寿命情報が更新される。
【００３８】
自動販売機１から構成部品を取り外した後は、取り外した構成部品に貼付してあるＩＣタグ４０にメンテナンスツール３０を近づけて、入力部３５から「読込」を選択指示することにより、各構成部品の固有情報と余寿命情報とを読み込むことができる。このため、撤去した自動販売機１であっても再使用（リユース）できる構成部品を的確に把握できる。
【００３９】
以上説明したように、実施例１に係る自動販売機１の管理システムによれば、構成部品に貼付したＩＣタグ４０に余寿命情報を記憶しているので、メンテナンスツール３０さえあれば、何時でもどこでも構成部品の余寿命情報を把握できる。
【００４０】
また、構成部品に貼付したＩＣタグ４０に記憶した余寿命情報を読み込むことにより、構成部品の余寿命を正確に把握できるので、撤去後の自動販売機の構成部品を効率良く再使用（リユース）できる。
【００４１】
さらに、構成部品に貼付したＩＣタグに近づけるだけで余寿命情報を書き込みできるので、サービスマンのメンテナンス効率を向上できる。
【００４２】
くわえて、サービスマンは日々の点検の中で、寿命が尽きかけている構成部品を把握できるので、寿命が尽きる前に構成部品の手配を行い、オンタイムで構成部品の交換が可能となる。このため、自動販売機の停止時間を減少させ、商品の販売チャンスを逃すおそれを減少できる。
【実施例２】
【００４３】
本発明の実施例２に係る自動販売機の管理システムについて説明する。なお、図７は本発明の実施例２に係る自動販売機の管理システムに適用する自動販売機の構成を示すブロック図、図８は本発明の実施例２に係る自動販売機の管理システムに適用するメンテナンスツールを示すブロック図である。
【００４４】
まず、自動販売機の管理システムの構成について説明する。実施例２に係る自動販売機の管理システムは、実施例１に係る自動販売機の管理システムと同様に、自動販売機５１と、メンテナンスツール８０とにより構築してある。自動販売機５１は、図７に示すように、制御部６０と、自動販売機を構成するモータ７１、ソレノイド７２、スイッチ類７３、蛍光灯７４、プラスチック類７５とを有し、メンテナンスツール８０はＰＤＡ等の携帯端末により構成してある。
【００４５】
自動販売機１を構成するモータ７１、ソレノイド７２、スイッチ類７３、蛍光灯７４、プラスチック類７５等の各構成部品には、ＩＣタグ９０が貼付してある。ＩＣタグ９０の構成は実施例１に示したＩＣタグ４０と異なるところがないので、説明を省略する。
【００４６】
各構成部品に貼付したＩＣタグ９０の近傍には、ＩＣタグに情報を書き込むリーダライタ９１が配設してある。リーダライタ９１は構成部品に対応して配設してあり、これらは自動販売機１の制御部６０に接続してある。
【００４７】
自動販売機の制御部６０は自動販売機の制御を司るものであり、ＣＰＵ（Central Processing Unit）６１と、メモリ６２と、時計６４と、電源６５と、出力／入力部６６とを有している。これらＣＰＵ６１、メモリ６２、時計６４および出力／入力部６６は、バスライン６７を介して接続してある。
【００４８】
メモリ６２は、各構成部品を制御する制御用プログラム、販売動作に必要な商品価格の情報、売上金額などのほかに、各構成部品の稼働情報を取得して格納するデータテーブルが記憶してある。データテーブルは、実施例１に示したデータテーブルと異なるところがなく、同様にデータを上書きして更新するので、説明を省略する。
【００４９】
制御部６０はデータテーブルのデータを逐次更新し、更新したデータのうち余寿命を余寿命情報としてリーダライタ９１を経由して、ＩＣタグ９０に上書きして記憶する。
【００５０】
メンテナンスツール８０は、各構成部品に貼付したＩＣタグ９０の情報を読み取るものであって、図８に示すように、ＣＰＵ８１、メモリ８２、通信部８３、表示部８４、入力部８５を有している。ＣＰＵ８１はメンテナンスツール８０の全体を制御するものであり、メモリ８２にはメンテナンスツール８０を制御する制御プログラムが格納してある。通信部８３はＩＣタグ９０と通信するものであり、表示部８４は構成部品の固有情報と余寿命情報とを表示する。これらＣＰＵ８１、メモリ８２、通信部８３、表示部８４および入力部８５は、バスライン８６を介して接続してある。
【００５１】
入力部は「読込」を入力するものであり、ＩＣタグ９０にメンテナンスツール８０を近づけて「読込」を入力すると、ＩＣタグ９０から固有情報と余寿命情報とを読み込むことができる。
【００５２】
このメンテナンスツール８０の使用方法について説明する。サービスマンは通常の点検業務の終了後、メンテナンスツール８０を自動販売機の構成部品のＩＣタグ９０に近づけて、入力部３５から「読込」を入力することにより、ＩＣタグ９０から構成部品の固有情報と余寿命情報とを読み取ることができる。このため、撤去した自動販売機５１であっても再使用（リユース）できる構成部品を的確に把握できる。
【００５３】
以上説明したように、実施例２に係る自動販売機５１の管理システムによれば、構成部品に貼付したＩＣタグ９０に余寿命情報を記憶しているので、メンテナンスツール８０さえあれば、何時でもどこでも構成部品の余寿命を把握できる。
【００５４】
また、所定時間ごとにリーダライタを介して構成部品に貼付したＩＣタグ９０に余寿命情報を書き込んで更新するので、より正確な余寿命情報をＩＣタグ９０に記憶させることができる。しかも、余寿命情報の更新に際してサービスマンの手を煩わせることがないのでメンテナンス効率を向上できる。
【００５５】
さらに、サービスマンは日々の点検の中で、寿命が尽きかけている構成部品を把握できるので、寿命が尽きる前に構成部品の手配を行い、オンタイムで構成部品の交換が可能となる。このため、自動販売機が停止する時間を減少させ、商品の販売チャンスを逃すおそれを減少できる。
【産業上の利用可能性】
【００５６】
以上のように、本発明に係る自動販売機及び自動販売機の管理システムは、自動販売機の構成部品の管理に有用であり、特に、構成部品のリユースに適している。
【図面の簡単な説明】
【００５７】
【図１】本発明の実施例１に係る自動販売機の管理システムの構成を示すブロック図である。
【図２】自動販売機の構成部品に貼付したＩＣタグの模式図である。
【図３】ＩＣタグの構造を説明するブロック図である。
【図４】制御部のメモリ内に格納したデータテーブルの構成の一例を示す図である。
【図５】構成部品の余寿命の算出方法を示すフローチャートである。
【図６】メンテナンスツールの表示部を示す図である。
【図７】本発明の実施例２に係る自動販売機の管理システムに適用する自動販売機の構成を示すブロック図である。
【図８】本発明の実施例２に係る自動販売機の管理システムに適用するメンテナンスツールを示すブロック図である。
【符号の説明】
【００５８】
１    自動販売機
１１    ＣＰＵ
１２    メモリ
１３    通信部
２１    モータ（構成部品）
２２    ソレノイド（構成部品）
２３    スイッチ類（構成部品）
２４    蛍光灯（構成部品）
２５    プラスチック類（構成部品）
３０    メンテナンスツール
３３    通信部
３４    表示部
３５    入力部
４０    ＩＣタグ
５１    自動販売機
６０    制御部
６１    ＣＰＵ
６２    メモリ
７１    モータ（構成部品）
７２    ソレノイド（構成部品）
７３    スイッチ類（構成部品）
７４    蛍光灯（構成部品）
７５    プラスチック類（構成部品）
８０    メンテナンスツール
８３    通信部
８４    表示部
８５    入力部
９０    ＩＣタグ
９１    リーダライタ
【図１】
2005173815.tif 000003
【図２】
2005173815.tif 000004
【図３】
2005173815.tif 000005
【図４】
2005173815.tif 000006
【図５】
2005173815.tif 000007
【図６】
2005173815.tif 000008
【図７】
2005173815.tif 000009
【図８】
2005173815.tif 000010